(57)【要約】投影光を放射するための光源（３０２）と、反射映像光を形成するために前記投影光を変調するための反射型ディスプレイ装置（３０８）と、光軸（３２４）を有する投影レンズ・グループ（３１４）と、前記投影レンズ・グループの前記光軸に対して非共軸である対物レンズ・グループ（３０６）を含む投影システムであり、該対物レンズ・グループ（３０６）は、非ゼロ角度の入射で前記ディスプレイ装置に照射するために前記投影光を方向付け、前記投影レンズ・グループの前記光軸に平行する光学経路に沿って前記反射映像光を向けるために配置され、特定の実施形態において、反射映像光の光学経路の向けられた部分が、投影レンズ・グループの光軸と一致し、他の実施形態において、映像光の方向付けにより生じる投影レンズ・グループの焦点面の傾きに対応するために投影レンズ・グループの前記光軸に対してディスプレイ装置が傾けられる。
2004519001.tif 000002
【特許請求の範囲】
【請求項１】
投影光を放射するための光源と、
反射映像光を形成するために前記投影光を変調するための反射型ディスプレイ装置と、
光軸を有する投影レンズ・グループと、
前記投影レンズ・グループの前記光軸に対して非共軸である対物レンズ・グループからなり、該対物レンズ・グループは、非ゼロ角度の入射で前記ディスプレイ装置に照射するために前記投影光を方向付け、前記投影レンズ・グループの前記光軸に平行する光学経路に沿って前記反射映像光を向けるために配置されることを特徴とする投影システム。
【請求項２】
前記反射映像光の前記光学経路が、前記投影レンズ・グループの前記光軸と一致することを特徴とする請求項１記載の投射システム。
【請求項３】
前記反射型ディスプレイ装置が前記投影レンズ・グループの前記光軸に配置されることを特徴とする請求項１記載の投射システム。
【請求項４】
前記対物レンズ・グループが、前記投影レンズ・グループの前記光軸に共軸である対物レンズ及びプリズムを含むことを特徴とする請求項１記載の投射システム。
【請求項５】
前記対物レンズ・グループが前記投影レンズ・グループの前記光軸に対して非共軸である対物レンズを含むことを特徴とする請求項１記載の投射システム。
【請求項６】
前記対物レンズ・グループが、前記投影レンズ・グループの前記光軸に対して非共軸である対物レンズからなることを特徴とする請求項５記載の投射システム。
【請求項７】
前記投影レンズ・グループの前記光軸に対して前記ディスプレイ装置が傾けられていることを特徴とする請求項１記載の投射システム。
【請求項８】
前記ディスプレイ装置が、前記投影レンズ・グループの前記光軸に対して、前記ディスプレイ装置の表面が前記投影レンズ・グループと前記対物レンズ・グループの組み合わせによる焦点面と配列するのに十分な量だけ傾けられることを特徴とする。
【請求項９】
前記対物レンズ・グループが、前記投影レンズ・グループの前記光軸に対して傾けられていることを特徴とする請求項１記載の投影システム。
【請求項１０】
前記ディスプレイ装置の表面が、前記投影レンズ・グループの前記光軸に対して、前記ディスプレイ装置の表面が前記投影レンズ・グループと前記対物レンズ・グループの組み合わせによる焦点面と配列するのに十分な量だけ傾けられることを特徴とする。
【請求項１１】
前記投影光を偏光するために前記光源と前記ディスプレイ装置との間に配置される偏光器と、
前記映像光を分光するために前記対物レンズ・グループと前記投影レンズ・グループの間に配置され、前記偏光器から分離している検光子と、
を更に含む請求項１記載の投影システム。
【請求項１２】
更に、
前記投影光を複数の有色投影光へ分離するために前記光源と前記偏光器の間に配置された色彩分離器と、
対応する有色映像光を形成するために対応する有色投影光と変調するための前記有色投影光のそれぞれと各々が対応する複数のディスプレイ装置と、
各々が前記複数のディスプレイ装置の１つと対応し、前記投影レンズ・グループの前記光軸に関して非共軸である対物レンズ・グループと、
前記投影レンズ・グループの前記光軸に平行する光学経路に沿った、対応する有色の映像光を方向付けるために配置される複数の対物レンズ・グループと、
前記映像光を形成するための有色映像光と結合するためのカラー・コンバイナと、
からなることを特徴とする請求項１１記載の投影システム。
【請求項１３】
前記複数のディスプレイ装置の一つとそれぞれが対応するとともに、前記ディスプレイ装置と前記色彩分離器の間に配置される複数の偏光器と、前記複数のディスプレイ装置の一つとそれぞれ対応するとともに、前記ディスプレイ装置と前記カラー結合手段の間に配置される複数の検光子とを更に含むことを特徴とする請求項１２記載の投影システム。
【請求項１４】
反射型ディスプレイ装置を供給し、光軸を有する投影レンズ・グループを供給し、非ゼロ入射角度で前記ディスプレイ装置に投影光を向ける段階と、反射された映像光を形成するための前記ディスプレイ装置で前記投影光を変調し、光学経路に沿って前記反射された映像光を前記投影レンズ・グループの前記光軸に平行な方向に向けることを特徴とするディスプレイ像を投影する方法。
【請求項１５】
光学経路に沿う前記反射された映像光を前記投影レンズ・グループの前記光軸に平行な方向に向ける前記段階が、光軸に沿う反射された前記映像光を前記投影レンズ・グループの前記光軸に一致する方向に向ける段階からなることを特徴とする請求項１４記載の方法。
【請求項１６】
反射型ディスプレイ装置を供給する前記段階が、前記投影レンズ・グループの前記光軸上に前記反射型ディスプレイ装置を配置することからなる特徴とする請求項１４記載の方法。
【請求項１７】
前記映像光を方向付ける前記段階が、前記映像光の前記光軸にプリズムを配置する段階からなることを特徴とする請求項１４記載の方法。
【請求項１８】
前記映像光を方向付ける前記段階が、対物レンズ・グループを前記映像光の前記光学経路に配設する段階からなり、前記対物レンズ・グループは前記投影レンズ・グループの前記光軸に対して非共軸の光軸を有することを特徴とする請求項１４記載の方法。
【請求項１９】
前記ディスプレイ装置で前記光線を変調する前記段階が、前記投影レンズ・グループの前記光軸に対して前記ディスプレイ装置を傾けることによって、前記ディスプレイ装置の表面を前記投影レンズ・グループの焦点面に配列させる段階からなることを特徴とする請求項１４記載の方法。
【請求項２０】
前記投影光を偏光させる段階と前記偏光器から分離した検光子で前記映像光を分光する段階とを更に含むことを特徴とする請求項１４記載の方法。
【請求項２１】
投影光を複数の有色投影光に分光する段階と前記複数の有色投影光のそれぞれが、複数の色付けされた映像光を形成するための複数の反射型ディスプレイ装置に連なる装置によって、変調される段階と、光学経路に沿う前記有色映像光が前記投影レンズ・グループの前記光軸に対して非共軸の光軸を有している複数の前記対物レンズ・グループのうち一つに接続した前記投影レンズ・グループの前記光学経路に平行に方向を変えられる段階と前記映像光を形成するための複数の有色映像光を再結合する段階を更に含むことを特徴とする請求項１４記載の方法。
【請求項２２】
対応する複数の偏光器の１つにより前記有色投影光のそれぞれが偏光される段階と、対応する複数の検光子の１つにより、前記有色投影光のそれぞれが分光される段階を更に有し、前記関連する検光子は前記関連する偏光器から分離していることを特徴とする請求項２１記載の方法。
【請求項２３】
投影光を発光する光源と、反射される映像光を形成するために前記投影光を変調するために、非ゼロ入射角度で前記投影光を受けるように配置されたディスプレイ装置と、光軸を有する投影レンズ・グループと、前記映像光が前記投影レンズ・グループの前記光軸に平行な光学経路を進むように前記映像光を屈折させるために前記映像光の中に配設されたプリズムとからなることを特徴とする投影システム。
【発明の詳細な説明】
【０００１】
本発明は、一般的な投影システム、より詳細には非共軸対物レンズ・グループを含む新規の軸外照明システムに関する。
（本発明の分野）
【０００２】
反射型液晶ディスプレイ（ＬＣＤ）は、透過型ＬＣＤよりも多くの利点を提供し、従って投影システムにおいてより一般的に使用されるようになってきている。例えば、透過型ディスプレイは、通常は限定された口径比（すなわち、ピクセルを通じて光で光らせることが可能な全ての領域）を有し、ピクセルを分離するためにピクセルを充填する事を必要とし、画素化した画像とする。
透過型ディスプレイの限界は、明るい、高解像度ディスプレイを適切なコストで製造する点は厄介な問題を有する。一方、反射型ＬＣＤは、近年ＶＬＳＩ処理エンジニアによって発展し、サブミクロン・メタライゼーション処理を用いるとともに、標準の処理されたＣＭＯＳシリコンチップ・バック・プレーン・ドライバーで製造される、高反射型ミラー配列を含み、従って透過型ディスプレイの制限の影響を受けない。
【０００３】
明るさと解像度の点で透過型ディスプレイに対して優れているが、反射型ディスプレイは、追加のシステム設計において問題がある。例えば、図１は、光源１０２、偏光ビーム分光器１０４、色彩分離器１０６、複数の液晶ディスプレイ（ＬＣＤ）１０８（ｒ、ｇ及びｂ）及び投影光学機器１１０を含む、従来技術の軸上投影システム１００を示す。
光源１０２は、白色光の光源からの光線を発生し、この光線を偏光ビーム分光器１０４へ向ける。この偏光ビーム分光器１０４は、第１偏光を有する光源からの光線の一部分を通過させる、システム軸１１２に沿った第２偏光を有する光線の別の部分（投影光）を色彩分離器１０６へ向ける。
色彩分離器１０６は、投影光を、赤、緑及び青の要素へ分離し、各有色の投影光をそれぞれ、ＬＣＤ１０８（ｒ，ｇ及びｂ）の１つの方向へ向ける。各ＬＣＤ１０８（ｒ，ｇ及びｂ）は、例えば、コンピュータ或いは他のビデオ信号源（図示されない）のシステムによって制御され、有色の映像光を形成するために色彩分離器１０６の方へ戻され反射する有色の投影光の選択部分（すなわち、ピクセル）の偏光を変調する。
色彩分離器１０６は、有色の映像光を合成の映像光を形成するために再結合し、投影光学機器１１０の光軸１１２に沿って、偏光ビーム分光器１０４の方へ向けるために、投影光学機器１１０に対し合成映像光の変調された部分だけを通過させる。
その後投影光学機器１１０は、合成の映像光の変調された部分をディスプレイの表面に焦点を合わせる（図示せず）。
【０００４】
システム１００における投影光及び映像光の両方は、同じ経路（すなわち軸１１２）を移動するので、投影システム１００は「軸上」システムだと考えられる。
軸上投影システムは通常、偏光ビーム分光器１０４のような偏光ビーム分光器を必要とし、従って下記の制限がある。
第１に偏光ビーム・スプリッタは非常に角度に影響を受けやすい。第２に偏光ビーム分光器１０４は、偏光機能と分光機能の両方を実行しなければならず、従って偏光の両方の直交状態（Ｓ＆Ｐ）に良く機能しなければならず、好ましくない製造の妥協を必要とする。
更に偏光ビーム分光器１０４は、ガラス内を通過する重要な光の経路長をもたらす。この経路長は、応力による複屈折で望ましくない入射と映像光をガラス内に発生する。
最後に偏光ビーム分光器は、例えば、偏光フィルムに基づいたポリマーと比較して非常に高価である。
【０００５】
図２は、偏光ビーム分光器を必要としない軸外投影システム２００を示す。投影システム２００は、光源２０２、コンデンサー・レンズ２０４、偏光器２０６、対物レンズ２０７、反射型ＬＣＤ２０８、検光子２１０及び投影レンズ・グループ２１２を含む。
光源２０２は、偏光器２０６を通過させ非直角（非ゼロ角度入射）でＬＣＤ２０８に衝突させるためにコンデンサー・レンズ２０４によって焦点が合わせられる投影光２１４を作る。
ＬＣＤ２０８は、映像光２１６を形成するために投影光２１４を変調し、該映像光２１６を投影レンズ・グループ２１２の方へ反射する。
対物レンズ２０７は、隣接する反射ＬＣＤ２０８に配置され、投影レンズ・グループ２１２の後部の近くの開口絞り（図示せず）で光源２０２の開口絞り（図示せず）に焦点を合わせる。
投影光２１４と映像光２１６の間の角度分離は、偏光器２０６と検光子２１０の分離を可能とする。
【０００６】
投影レンズ・グループ２１２は、ディスプレイ表面２２０でＬＣＤ２０８の増幅したイメージを投影するために映像光２１６に焦点を合わせる。
ＬＣＤ２０８と映像光２１６の間の正味の平均角度で、システム２００のような構成において、投影レンズ・グループ２１２は、一般的には台形ひずみを避けるために示されるように（すなわち、光軸２１８について左右非対称である）用いられる。映像光２１６は、投影レンズ・グループ２１２の光軸２１８で非ゼロ角度を形成する。
【０００７】
投影レンズ２１２の複雑さは、光軸２１８と映像光２１６の間の角度分離の大きさに依存する。特に、偏光器と検光子（例えば、１２度）の分離を可能にすることが適切な投影レンズ・グループ２１２の光軸２１８と映像光２１６の間の角度分離のために、投影レンズのための視野の全体の設計は、ディスプレイ表面２２０に同様の画像を投影する、同様の軸上システムより３０％大きくなっている。
結果として生じる投影レンズ・グループ２１２は、過剰な歪みを生じる傾向があり、同様の軸上システムにおいて必要とされるものより、より複雑となり、より高価なものとなる。
一般的な歪みの限界が０．２５％以下のディスプレイへの適用において、トラック長３０％減少というサイズの利点は、視野が減少する場合、達成することができる。
【０００８】
従って必要なのは、投影された映像を動かし及び／又は歪めたりすることなく、投影レンズの必要とされる視野を増加することなく、投影光と映像光の角度分離を可能とする投影システムである。
【０００９】
（要約）
本発明は、軸外照明を反射型投影システムで用いるための新規のシステム及び方法を提供することにより従来技術に関する問題を解決する。
本発明は、投影された映像を動かし及び／又は歪めたりすることなく、投影レンズ・グループのための設計への要求を軽減する投影光及び映像光の角度分離を促進する。
【００１０】
投影システムは、投影光を放射するための光源、反射映像光を形成するために投影光を変調するための反射型ディスプレイ装置、投影レンズ・グループ及び対物レンズ・グループを含む。
対物レンズ・グループは、投影光と映像光を曲げるために投影レンズ・グループの光軸に対して非共軸に配置される。対物レンズ・グループは、非ゼロ角度の入射でディスプレイ装置を照射するための光学径路に沿った投影光を向け、投影レンズ・グループの光学径路に平行な反射された映像光を向ける。
特に、ディスプレイ装置の実施形態は、投影レンズ・グループの光軸に配置される。更に詳細な反射される映像光の光学径路の向け直された部分は、投影レンズ・グループの光軸と一致する。
他の詳細な実施形態において、ディスプレイ装置は、映像光の方向付けによって生じた投影レンズ・グループの焦点面の傾きに適応するために傾けられる。
【００１１】
実施形態の１つにおいて、対物レンズ・グループは、共軸の対物レンズ及びプリズムを含む。他の実施形態において、対物レンズ・グループは、実質的に非共軸の対物レンズを含む。更に他の実施形態において、実質的に非共軸の単独の対物レンズ・グループからなる。
【００１２】
ディスプレイ装置が液晶ディスプレイ（ＬＣＤ）である他の詳細な実施形態において、投影光に配置された直線偏光器及び映像光に配置された検光子（直線偏光器）が更に含まれる。
【００１３】
更に他の詳細な実施形態において、多色投影の能力には、投影光を複数の有色の投影光へ分離するための色彩分離器、複数のディスプレイ装置、複数の対物レンズ・グループ、カラー・コンバイナが含まれる。
各ディスプレイ装置は、関連する有色の映像光を形成するために対応する有色の投影光の１つを変調する。
各対物レンズ・グループは、投影レンズ・グループの光軸を方向付けるために非共軸化され、投影レンズ・グループの光軸に平行な光学径路に沿った、対応する映像光を方向付けるために配置される。
カラー・コンバイナは、投影レンズ・グループへ向けられた映像光を形成するために有色の映像光を再結合する。
【００１４】
また投影ディスプレイ映像の方法が記載される。この方法は、反射型ディスプレイ装置を配置する段階、投影レンズ・グループを配置する段階、非ゼロ角度入射でのディスプレイ装置を照明するために投影光を方向付ける段階、ディスプレイ装置で反射映像光を形成するために、投影光を変調する段階、反射映像光を形成するための段階、投影レンズ・グループの光軸に平行する光学径路に沿って反射映像光を向け直す段階を含む。
詳細な方法において、投影レンズ・グループの光軸に平行する光学径路に沿った反射映像光を向け直す段階は、投影レンズ・グループの光軸と一致する光学径路に沿った反射映像光の向け直しを含む。
【００１５】
（詳細な説明）
本発明は、参照番号が実質的に同様の要素を示す図面を参照して記載される。
本発明は、投影レンズ・グループの光軸に沿った軸外映像光を向け直すために非共軸対物レンズ・グループを用いることにより、従来技術に関連する問題を解決する。
以下の記載で、本発明の理解ために多数の特定の詳細な内容（例えば、本発明の実施形態の１つのための光学的条件）が示される。
しかし当業者は、これら特定の詳細以外で本発明を実施することができることを認識するだろう。他の例として、既知の光学の実施（例えば、通常の最適化）は、本発明を不必要に曖昧にしないようにするために省略される。
【００１６】
図３は、光源３０２、偏光器３０４、対物レンズ・グループ３０６、反射ディスプレイ装置３０８、検光子３１０及び投影レンズ・グループ３１４を含む軸外投影システム３００を示す。
光源３０２は、投影光３１６を生じ、光学経路３１８に沿って偏光器３０４を通過して方向付ける。
偏光器３０４は投影光３１６を、偏光器３０４の透過軸に相当する第１偏光状態へ直線的に偏光する。
【００１７】
対物レンズ・グループ３０６はディスプレイ装置３０８と隣接して配置される。また、対物レンズ・グループ３０６は、投影レンズ・グループ３１４の後部近くの対物レンズ絞り（図示せず）にある光源３０２の開口絞りに焦点を合わす。このようにして、投影光３１６の光量の大幅な損失を避けることとしている。減じられているがゼロではない入射角度での、ディスプレイ装置３０８に当たる光学経路３１８に対して、対物レンズ・グループ３０６は、光線３１６をずらす。
【００１８】
本実施形態においては、ディスプレイ装置３０８は液晶ディスプレイ（ＬＣＤ）である。ＬＣＤ３０８はコンピュータやビデオ信号源によって制御され、また光学経路３２２に沿って反射された映像光３２０を形成するための投影光３１６の選択された場所（即ちピクセル）の偏光を変調する。
【００１９】
対物レンズ・グループ３０６は光学経路３２２に沿う映像光３２０の方向を変えるとともに、映像光３２０もずらす。対物レンズ・グループ３０６は、投影レンズ・グループ３１４の光軸に対して非共軸であるので、対物レンズ・グループ３０６は光軸３２４に沿う映像光３２０の方向を変えるために配置される。そして、光学経路３２２は光軸３２４と一致する。特に、ＬＣＤ３０８は若干光軸３２４に対して非共軸である。非共軸の対物レンズ・グループ３０６がない状態では、映像光３２０は光学経路３２６を通る。
【００２０】
投影レンズ３１４の視野に収差の程度は関係するので、対物レンズ・グループ３０６内の非共軸の投影光学機器と反対方向に非共軸の要素を組み合わせることで、投影像に生ずる収差は実質的に減ぜられる。特に典型的なゆがみは視野の３乗に比例する。コマは広い視野を有するレンズにとっても問題となる。収差は初期設定の視野に比例するからである。したがって、可能な限りディスプレイ３０８の近くでの曲折した映像光３２０は投影像の収差を最小化する。
【００２１】
しかしながら、この開示を考慮すれば、当業者はある応用例の想到に至るであろう。本件発明の利点を失うことなしに対物レンズ・グループの非共軸の要素を投影光学機器の方向に向かって配置したり、ディスプレイ装置から離して配置させたりするなどである。実際に、プリズムは投影レンズ・グループ３１４に向かって、位置３２８に配置されることも可能である。位置３２８では、プリズムが映像光３２０のみ干渉する。このように配置されたプリズムは２倍の角度の光線のずれをもたらすために厚く形成されることを要する。加えて、投影レンズ・グループ３１４は、方向を変えられた光学経路３２６に沿う映像光とともに光軸３２４と並ぶために上方に配置されることを要する。このような配置変更にもかかわらず、このような非共軸の要素は、対物レンズ・グループに含まれるものとして考えられる。
【００２２】
また、当業者は、実用的な光学システムにおいて、光学システムの性能を最適化するための微調整を想到するであろう。例えば、光学システムの性能を最適化するために、映像光３２０が光軸３２４に対して若干配置を変えられてもよい。故に、本明細書中で用いられる用語（即ち、平行、一致等）はそのような微調整を含むものとして広く解釈されるべきである。
【００２３】
検光子３１０も直線型偏光器である。投影システム３００は少なくとも２つの異なる状態を操作することが出来る。例えば、検光子３１０の透過軸が偏光器３０４の透過軸と平行であるならば、検光子３１０は映像光３２０の非調整域を通過可能にするとともに、調整域を塞ぐだろう。一方で、検光子３１０の透過軸が偏光器３０４の軸と直交するならば、検光子３１０は映像光３２０の調整域を通過可能にするとともに、非調整域を塞ぐだろう。本実施例において、偏光器３０４及び検光子３１０はともに、ポラロイドコーポレーションから供給される偏光材料ＨＮ４２ＨＥから形成されている。
【００２４】
投影レンズ・グループ３１４は検光子３１０から映像光３２０を受ける。そして、投影レンズ・グループ３１４はディスプレイ表面（図示せず）に像を投影する光線のピントを合わせる。映像光３２０は投影レンズ・グループ３１４の光軸３２４に沿って或いは近くを移動するので、投影レンズ・グループ３１４の近軸位置は、ディスプレイに像を作るために用いられる。このことは、低いｆナンバーを有する投影レンズを使用する際に有利である。例えば、ｆ２からｆ４の投影レンズを使用しても、投影像に著しいひずみを生じない。
【００２５】
投影レンズ・グループ３１４は光学経路３２２に対して若干傾けられている（約３．６°）。投影レンズ・グループ３１４を傾けると、許容できない画像のゆがみを生ずることなしに、ディスプレイ領域の像は改善される。さらに、投影レンズ・グループ３１４の傾斜に応じて、対物レンズ・グループ３０６及びＬＣＤ３０８の光軸３２４に対する配置を変えると、システム軸３３０上方に向かって所望の量だけ投影像の位置が変更される。投影レンズ・グループ３１４の傾斜角度は各システムの有する特徴に応じて変更でき、ある場合においては投影レンズ・グループ３１４の傾斜はなくてもよいことは、当業者にとって明らかである。
【００２６】
図４は対物レンズ・グループ３０６の断面図であり、共軸の対物レンズ４０２とプリズム４０４を含むものを示している。対物レンズ４０２は、上述のように、投影レンズ・グループ３１４の対物レンズ絞りに光源３０２の開口絞りを集中させる。投影光３１６及び映像光３２０はプリズム４０４を通過するので、プリズム４０４は投影光３１６及び映像光３２０を屈折させる。そして、映像光３２０は光学経路３２２上のプリズム４０４を透過する。光学経路３２２は投影レンズ・グループ３１４の光軸３２４と一致もしくはほぼ一致している。プリズム４０４を通過する光線の角度のずれは、プリズム４０４の屈折率、プリズム４０４の先端角度４０６、投影光の入射角度及び投影される投影光の波長によって定まる。所望の光線角度のずれを生じさせるプリズムの設計は、光学分野における通常の技術によってなされるもので十分であり、本明細書中に参照として組み込まれる「Ｏｐｔｉｃ第２巻（Ｈｅｃｈｔ著：１９８７、頁１６３−１６６）」に記載されている。
【００２７】
プリズム４０４による映像光３２０のずれは投影レンズ・グループ３１４の焦点面に傾きを生ずる。この焦点面における傾きは、角度θ分だけ光軸３２４に対してディスプレイ装置３０８を傾けることによって調整され、投影レンズ・グループ３１４の最良の焦点面にディスプレイ装置３０８の反射表面は合わせられる。この調整により、画像のゆがみは最小化もしくは除去される。加えて、更なる投影像の最適化のために、ＬＣＤ３０８は光軸３２４に対して中心を垂直に非共軸にずらされてもよい。
【００２８】
図５は他の実施形態である対物レンズ・グループ３０６Ａの断面図である。この実施形態においては、共軸の対物レンズ４０２及びプリズム４０４に代えて、非共軸の対物レンズ５０２が用いられている。対物レンズ５０２はディスプレイ装置３０８と投影レンズ・グループ３１４の光軸３２４との両方に対して実質的に非共軸である。対物レンズ５０２の光軸は対物レンズ５０２の底部端面５０４もしくは底部端面５０４の近くにある。対物レンズ５０２の底部端面５０４はディスプレイ装置３０８の底部端面５０６の下に位置する。例えば、特にこの実施形態においては、ディスプレイ装置３０８は約１５ｍｍの高さであり、非共軸の対物レンズ５０４の光軸はディスプレイ装置３０８の下方１０ｍｍ−１２ｍｍに位置する。
【００２９】
図６は投影レンズ・グループ３１４の断面図であり、ズームグループ６０２と焦点グループ６０３を含む。ズームグループ６０２及び焦点グループ６０３は投影レンズ・グループ３１４の光軸３２４上に配置されている。ズームグループ６０２は第一両側凸レンズ６０４、第１両側凹レンズ６０８に当接する第２両側凸レンズ６０６、第２両側凹レンズ６１２に当接する第３両側凸レンズ６１０を含み、これら全ては光軸３２４に沿って連接されている。ズームグループ６０２は焦点グループ６０３に対して光軸に沿って移動可能であり、これにより投影像の大きさの調整が可能である。焦点グループ６０３は第１凹凸レンズ６１４、両側凹レンズ６１６、第２凹凸レンズ６１８、第３凹凸レンズ６２０及び両側凸レンズ６２２を有し、これらのレンズ全てが光軸３２４に沿って連接されている。第２凹凸レンズ６１８は焦点グループ６０３中の他のレンズに対して光軸３２４に沿って移動可能であり、これによって像の焦点を合わせる。
【００３０】
図７は本願発明に係る多色投影システム７００の一つのチャンネルを示す透視図である。多色投影システム７００は投影システム３００に似ているが、光線３１６内を横切る２つの２色板７０２（ｒ）と７０２（ｂ）が配置されている点及びカラーキューブ７０４が映像光３２０内に配置されているという点において異なる。２色板７０２（ｒ）と（ｂ）は光線３１６を赤色の投影光３１６（ｒ）（図８中）、青色の投影光３１６（ｂ）（図８中）と緑色の投影光３１６（ｇ）に分ける。そして２色板７０２（ｒ）と（ｂ）は有色投影光３１６（ｒ、ｂ及びｇ）のそれぞれを３つのＬＣＤ３０８（ｒ）（図８中）、３０８（ｂ）（図８中）及び３０８（ｇ）のそれぞれに向かわせる。ＬＣＤ３０８（ｒ、ｂ及びｇ）は色付けされた映像光３２０（ｒ、ｂ及びｇ）を形成するための有色投影光３１６（ｒ、ｂ及びｇ）のそれぞれを変調する。そして各ＬＣＤ３０８は有色映像光３２０（ｒ、ｂ及びｇ）を反射させ、それぞれをカラーキューブ７０４に向かわせる。カラーキューブ７０４は映像光３２０を形成するために有色映像光３２０（ｒ、ｂ及びｇ）を再結合させる。非共軸の対物レンズ５０２（ｒ、ｂ及びｇ）は光軸３２２（ｒ、ｂ及びｇ）に沿う有色の映像光（ｒ、ｂ及びｇ）の向きを変える。光軸３２２は投影レンズ・グループ３１４の光軸３２４のそれぞれに一致若しくはほぼ一致している。２色板７０２（ｒ）及び７０２（ｂ）は共に、約３ｍｍの厚さであり、投影光３１６及び映像光３２０に対して、４５°及び１３５°の角度を形成している。２色板７０２（ｒ及びｂ）による色の分割に伴う投影光３１６と映像光３２０との間の角度の分割は独立した偏光器３０４（ｒ、ｂ及びｇ）と独立した検光子３１０（ｒ、ｂ及びｇ）が偏光を緩和し、色彩分離処理をするカラーチャンネルに使用されることを可能にする。２色板７０２（ｒ及びｂ）により投影される像を横切って生ずる非点収差を修正するために、収差補正要素（即ち、薄い円筒レンズ）が投影レンズ・グループ３１４に組み込まれてもよい。
【００３１】
図８は投影システム７００の平面図であり、該システムの残りのカラーチャンネルを含んでいる。光軸３２４は紙面上にあり、映像光３２０は投影光３１６を覆い隠している。投影光３１６は光源３０２から生じている。光源３０２は紙面下方に位置している。投影レンズ・グループ３１４は紙面を通過して広がっており、光源３０２を覆い隠している。同様に、検光子３１０（ｒ、ｂ及びｇ）は偏光器３０４（ｒ、ｂ及びｇ）のそれぞれを覆い隠している。
【００３２】
後述する光学的条件は本願発明に係る固有の実施形態を詳述している。即ち、光学的条件において設定される実施形態は他の図に示される実施形態のいずれとも同一ではない。むしろ、該光学的条件で定められる面は、本願発明に係る後方投影システムの以下の要素に対応する。
面１−６は重なった後方投影鏡に対応する。
面７−２３は投影レンズ・グループに対応する。
面２４−２５は再結合カラーキューブに対応する。
面２６−２９及び３８−４１は対物レンズに対応する。
面３０−３３、３４−３７及び５０−ＩＭＡは投影装置に対応する。
面４２−４３及び４５は、物理的配置の目的で見せかけの像面である。
面４４は光源に対する開口部出口に対応する。
当業者は本願発明の主要部がここに示される特有の光学的条件により限定されるものではないことを理解するであろう。
【００３３】
光学的条件
一般的レンズデータ
面：    ５３
絞り：    １９
システム開口度：像空間Ｆ／♯＝３．５
ガラスカタログ：Ｓｃｈｏｔｔ
光線照準：近軸参照型  Ｃａｃｈｅ  ｏｎ
瞳のＸ軸ずれ：０
瞳のＹ軸ずれ：０
瞳のＺ軸ずれ：０
アボダイゼーション：均一、Ｆａｃｔｏｒ＝０．０００００Ｅ＋０００
有効焦点距離：１７．３０５８６（空中）
有効焦点距離：１７．３０５８６（像空間）
後方焦点距離：−１．４１２６４
トータルトラック：３０４
像空間Ｆ／＃：３．５２５９１４
近軸ワーキングＦ／＃：３．５１２２２
ワーキングＦ／＃：３．５２５９１４
像空間ＮＡ：０．１４０９３９１
対物空間ＮＡ：０．００５７９８２１６
絞り半径：８．７７７８２５
近軸像高さ：１２．４１４４７
近軸倍率：−０．０４０７２９９
入射瞳直径：４．９４４５３１
入射瞳位置：２８６．３７６６
出射瞳直径：５７．６８２７１
出射瞳位置：２０３．３０２１
フィールド  タイプ：対物高さ（ｍｍ）
最大フィールド：３０４．８
主要波長：０．５５５
レンズの単位：ｍｍ
角度の大きさ：−０．０８７１９４７
フィールド数：８
フィールド  タイプ：対物高さ（ｍｍ）
2004519001.tif 000003
ぼかし要素
2004519001.tif 000004
波長：５
単位：ミクロン
2004519001.tif 000005
表面データ要約
2004519001.tif 000006
2004519001.tif 000007
2004519001.tif 000008
2004519001.tif 000009
表面データ詳細
表面ＯＢＪ：ＳＴＡＮＤＡＲＤ
散乱：なし
表面１：ＣＯＯＲＤＢＲＫ
Ｘ方向の非共軸量：０
Ｙ方向の非共軸量：０
Ｘ方向の傾き：−３３
Ｙ方向の傾き：０
Ｚ方向の傾き：０
順番：非共軸にして、傾斜させる。
散乱：なし
表面２：ＳＴＡＮＤＡＲＤ
散乱：なし
表面３：ＣＯＯＲＤＢＲＫ
Ｘ方向の非共軸量：０
Ｙ方向の非共軸量：０
Ｘ方向の傾き：−３３
Ｙ方向の傾き：０
Ｚ方向の傾き：０
順番：非共軸にして、傾斜させる。
散乱：なし
表面４：ＳＴＡＮＤＡＲＤ
散乱：なし
表面５：ＣＯＯＲＤＢＲＫ
Ｘ方向の非共軸量：０
Ｙ方向の非共軸量：０
Ｘ方向の傾き：−０．１７２１５８５７
Ｙ方向の傾き：０
Ｚ方向の傾き：０
順番：非共軸にして、傾斜させる。
散乱：なし
表面６：ＣＯＯＲＤＢＲＫ
Ｘ方向の非共軸量：０
Ｙ方向の非共軸量：−４．４８４９６５５
Ｘ方向の傾き：０
Ｙ方向の傾き：０
Ｚ方向の傾き：０
順番：非共軸にして、傾斜させる。
散乱：なし
表面７：ＥＶＥＮＡＳＰＨ
コメント：６
Ｃｏｅｆｆ  ｏｎ  ｒ  ２：−０．００６８１０１３６９
Ｃｏｅｆｆ  ｏｎ  ｒ  ４：０
Ｃｏｅｆｆ  ｏｎ  ｒ  ６：７．５８８９２７ｅ−０１１
Ｃｏｅｆｆ  ｏｎ  ｒ  ８：０
Ｃｏｅｆｆ  ｏｎ  ｒ  １０：０
Ｃｏｅｆｆ  ｏｎ  ｒ  １２：０
Ｃｏｅｆｆ  ｏｎ  ｒ  １４：０
Ｃｏｅｆｆ  ｏｎ  ｒ  １６：０
散乱：なし
表面８：ＥＶＥＮＡＳＰＨ
Ｃｏｅｆｆ  ｏｎ  ｒ  ２：−０．０１３００７９９５
Ｃｏｅｆｆ  ｏｎ  ｒ  ４：−３．４６５２５４ｅ−００６
Ｃｏｅｆｆ  ｏｎ  ｒ  ６：０
Ｃｏｅｆｆ  ｏｎ  ｒ  ８：０
Ｃｏｅｆｆ  ｏｎ  ｒ  １０：０
Ｃｏｅｆｆ  ｏｎ  ｒ  １２：０
Ｃｏｅｆｆ  ｏｎ  ｒ  １４：０
Ｃｏｅｆｆ  ｏｎ  ｒ  １６：０
散乱：なし
表面９：ＣＯＯＲＤＢＲＫ
Ｘ方向の非共軸量：０
Ｙ方向の非共軸量：−１．５４３２２９８
Ｘ方向の傾き：０
Ｙ方向の傾き：０
Ｚ方向の傾き：０
順番：非共軸にして、傾斜させる。
散乱：なし
表面１０：ＣＯＯＲＤＢＲＫ
Ｘ方向の非共軸量：０
Ｙ方向の非共軸量：０
Ｘ方向の傾き：３３
Ｙ方向の傾き：０
Ｚ方向の傾き：０
順番：非共軸にして、傾斜させる。
散乱：なし
表面１１：ＳＴＡＮＤＡＲＤ
散乱：なし
表面１２：ＣＯＯＲＤＢＲＫ
Ｘ方向の非共軸量：０
Ｙ方向の非共軸量：０
Ｘ方向の傾き：３３
Ｙ方向の傾き：０
Ｚ方向の傾き：０
順番：非共軸にして、傾斜させる。
散乱：なし
表面１３：ＳＴＡＮＤＡＲＤ
散乱：なし
表面１４：ＳＴＡＮＤＡＲＤ
コメント：ＴＰ  １．１４６０
散乱：なし
表面１５：ＳＴＡＮＤＡＲＤ
コメント：ＴＰ  ２．３４６
散乱：なし
表面１６：ＳＴＡＮＤＡＲＤ
コメント：ＴＰ  ５．６１０１
散乱：なし
表面１７：ＳＴＡＮＤＡＲＤ
コメント：ＴＰ  ０．７６０２
散乱：なし
表面１８：ＳＴＡＮＤＡＲＤ
コメント：ＴＰ  ３．１８３２
散乱：なし
表面ＳＴＯ：ＳＴＡＮＤＡＲＤ
コメント：ＴＰ  １．７８２０
散乱：なし
表面２０：ＳＴＡＮＤＡＲＤ
コメント：ＴＰ  １．３８８１
散乱：なし
表面２１：ＳＴＡＮＤＡＲＤ
散乱：なし
表面２２：ＳＴＡＮＤＡＲＤ
コメント：ＴＰ  ２．３０９９
散乱：なし
表面２３：ＳＴＡＮＤＡＲＤ
コメント：ＴＰ  ２．１５０６
散乱：なし
表面２４：ＳＴＡＮＤＡＲＤ
散乱：なし
表面２５：ＳＴＡＮＤＡＲＤ
散乱：なし
表面２６：ＣＯＯＲＤＢＲＫ
Ｘ方向の非共軸量：０
Ｙ方向の非共軸量：１７．６７３２９５
Ｘ方向の傾き：０
Ｙ方向の傾き：０
Ｚ方向の傾き：０
順番：非共軸にして、傾斜させる。
散乱：なし
表面２７：ＣＯＯＲＤＢＲＫ
コメント：傾斜対物レンズ
Ｘ方向の非共軸量：０
Ｙ方向の非共軸量：０
Ｘ方向の傾き：４．９６８６１１９
Ｙ方向の傾き：０
Ｚ方向の傾き：０
順番：非共軸にして、傾斜させる。
散乱：なし
表面２８：ＳＴＡＮＤＡＲＤ
コメント：ＴＰ  ４．１９６
散乱：なし
表面２９：ＳＴＡＮＤＡＲＤ
散乱：なし
表面３０：ＣＯＯＲＤＢＲＫ
Ｘ方向の非共軸量：０
Ｙ方向の非共軸量：−１７．６７４４８
Ｘ方向の傾き：０
Ｙ方向の傾き：０
Ｚ方向の傾き：０
順番：非共軸にして、傾斜させる。
散乱：なし
表面３１：ＳＴＡＮＤＡＲＤ
散乱：なし
表面３２：ＳＴＡＮＤＡＲＤ
散乱：なし
表面３３：ＳＴＡＮＤＡＲＤ
コメント：ＵＬＣＤ
散乱：なし
表面３４：ＳＴＡＮＤＡＲＤ
散乱：なし
表面３５：ＳＴＡＮＤＡＲＤ
散乱：なし
表面３６：ＳＴＡＮＤＡＲＤ
散乱：なし
表面３７：ＣＯＯＲＤＢＲＫ
Ｘ方向の非共軸量：０
Ｙ方向の非共軸量：１７．６７４４８
Ｘ方向の傾き：０
Ｙ方向の傾き：０
Ｚ方向の傾き：０
順番：非共軸にして、傾斜させる。
散乱：なし
表面３８：ＳＴＡＮＤＡＲＤ
散乱：なし
表面３９：ＳＴＡＮＤＡＲＤ
散乱：なし
表面４０：ＣＯＯＲＤＢＲＫ
Ｘ方向の非共軸量：０
Ｙ方向の非共軸量：０
Ｘ方向の傾き：−４．９６８６１１９
Ｙ方向の傾き：０
Ｚ方向の傾き：０
順番：非共軸にして、傾斜させる。
散乱：なし
表面４１：ＣＯＯＲＤＢＲＫ
コメント：傾けられていない対物レンズ
Ｘ方向の非共軸量：０
Ｙ方向の非共軸量：−１７．６７３２９５
Ｘ方向の傾き：０
Ｙ方向の傾き：０
Ｚ方向の傾き：０
順番：非共軸にして、傾斜させる。
散乱：なし
表面４２：ＳＴＡＮＤＡＲＤ
散乱：なし
表面４３：ＳＴＡＮＤＡＲＤ
散乱：なし
表面４４：ＳＴＡＮＤＡＲＤ
散乱：なし
表面４５：ＳＴＡＮＤＡＲＤ
散乱：なし
表面４６：ＣＯＯＲＤＢＲＫ
Ｘ方向の非共軸量：０
Ｙ方向の非共軸量：１７．６７３２９５
Ｘ方向の傾き：０
Ｙ方向の傾き：０
Ｚ方向の傾き：０
順番：非共軸にして、傾斜させる。
散乱：なし
表面４７：ＣＯＯＲＤＢＲＫ
コメント：傾斜対物レンズ
Ｘ方向の非共軸量：０
Ｙ方向の非共軸量：０
Ｘ方向の傾き：４．９６８６１１９
Ｙ方向の傾き：０
Ｚ方向の傾き：０
順番：非共軸にして、傾斜させる。
散乱：なし
表面４８：ＳＴＡＮＤＡＲＤ
散乱：なし
表面４９：ＳＴＡＮＤＡＲＤ
散乱：なし
表面５０：ＣＯＯＲＤＢＲＫ
Ｘ方向の非共軸量：０
Ｙ方向の非共軸量：−１７．６７４４８
Ｘ方向の傾き：０
Ｙ方向の傾き：０
Ｚ方向の傾き：０
順番：非共軸にして、傾斜させる。
散乱：なし
表面５１：ＳＴＡＮＤＡＲＤ
散乱：なし
表面５２：ＳＴＡＮＤＡＲＤ
散乱：なし
表面ＩＭＡ：ＳＴＡＮＤＡＲＤ
散乱：なし
【００３４】
本願発明の実施形態に関する説明は以上である。上述の態様の多くは、本願発明の主要部から外れることなしに、代用され、変更され若しくは省略されてもよい。例えば、ゆがんだ鏡のような代用のディスプレイが反射型ＬＣＤに代用されてもよい。他の例を挙げると、２色板７０２（ｒ及びｂ）が十字のような形で配置されていてもよい。また、カラーキューブのようなカラー結合器が２色板の上部を代用するものであってもよい。上記実施形態からのこれら及び他の変更は、上記開示によって、当業者にとって容易に想到できるものである。
【図面の簡単な説明】
【図１】
従来技術の軸上投影システムのブロック図である。
【図２】
従来技術の軸外投影システムのブロック図である。
【図３】
本発明の軸外投影システムのブロック図である。
【図４】
図３の対物レンズ・グループの断面図である。
【図５】
別の対物レンズ・グループの断面図である。
【図６】
光軸を通過している、図３に示される対物レンズ・グループの断面図である。
【図７】
本発明の多色投影システムの１つのチャンネルを示す透視図である。
【図８】
図７の投影システムの全てのチャンネルの平面図を示すブロック図である。
【図１】
2004519001.tif 000010
【図２】
2004519001.tif 000011
【図３】
2004519001.tif 000012
【図７】
2004519001.tif 000013
【図８】
2004519001.tif 000014
【国際公開パンフレット】
2004519001.tif 000015
2004519001.tif 000016
2004519001.tif 000017
2004519001.tif 000018
2004519001.tif 000019
2004519001.tif 000020
2004519001.tif 000021
2004519001.tif 000022
2004519001.tif 000023
2004519001.tif 000024
2004519001.tif 000025
2004519001.tif 000026
2004519001.tif 000027
2004519001.tif 000028
2004519001.tif 000029
2004519001.tif 000030
2004519001.tif 000031
2004519001.tif 000032
2004519001.tif 000033
2004519001.tif 000034
2004519001.tif 000035
2004519001.tif 000036
2004519001.tif 000037
2004519001.tif 000038
2004519001.tif 000039
2004519001.tif 000040
2004519001.tif 000041
2004519001.tif 000042
2004519001.tif 000043
2004519001.tif 000044
2004519001.tif 000045
2004519001.tif 000046
【手続補正書】
【提出日】平成15年1月27日(2003.1.27)
【手続補正１】
【補正対象書類名】明細書
【補正対象項目名】特許請求の範囲
【補正方法】変更
【補正の内容】
【特許請求の範囲】
【請求項１】
投影光を放射するための光源と、
反射映像光を形成するために前記投影光を変調するための反射型ディスプレイ装置と、
光軸を有する投影レンズ・グループと、
前記投影レンズ・グループの前記光軸に対して非共軸である対物レンズ・グループからなり、該対物レンズ・グループは、非ゼロ角度の入射で前記ディスプレイ装置に照射するために前記投影光を方向付け、前記投影レンズ・グループの前記光軸に平行する光学経路に沿って前記反射映像光を向けるために配置されることを特徴とする投影システム。
【請求項２】
前記反射映像光の前記光学経路が、前記投影レンズ・グループの前記光軸と一致することを特徴とする請求項１記載の投射システム。
【請求項３】
前記反射型ディスプレイ装置が前記投影レンズ・グループの前記光軸に配置されることを特徴とする請求項１記載の投射システム。
【請求項４】
前記対物レンズ・グループが、前記投影レンズ・グループの前記光軸に共軸である対物レンズ及びプリズムを含むことを特徴とする請求項１記載の投射システム。
【請求項５】
前記対物レンズ・グループが前記投影レンズ・グループの前記光軸に対して非共軸である対物レンズを含むことを特徴とする請求項１記載の投射システム。
【請求項６】
前記対物レンズ・グループが、前記投影レンズ・グループの前記光軸に関して非共軸である対物レンズから基本的になることを特徴とする請求項５記載の投影システム。
【請求項７】
前記投影レンズ・グループの前記光軸に対して前記ディスプレイ装置が傾けられていることを特徴とする請求項１記載の投射システム。
【請求項８】
前記ディスプレイ装置が、前記投影レンズ・グループの前記光軸に対して、前記ディスプレイ装置の表面が前記投影レンズ・グループと前記対物レンズ・グループの組み合わせによる焦点面と配列するのに十分な量だけ傾けられることを特徴とする。
【請求項９】
前記対物レンズ・グループが、前記投影レンズ・グループの前記光軸に対して傾けられていることを特徴とする請求項１記載の投影システム。
【請求項１０】
前記ディスプレイ装置の表面が、前記投影レンズ・グループの前記光軸に対して、前記ディスプレイ装置の表面が前記投影レンズ・グループと前記対物レンズ・グループの組み合わせによる焦点面と配列するのに十分な量だけ傾けられることを特徴とする。
【請求項１１】
前記投影光を偏光するために前記光源と前記ディスプレイ装置との間に配置される偏光器と、
前記映像光を分光するために前記対物レンズ・グループと前記投影レンズ・グループの間に配置され、前記偏光器から分離している検光子と、
を更に含む請求項１記載の投影システム。
【請求項１２】
更に、
前記投影光を複数の有色投影光へ分離するために前記光源と前記偏光器の間に配置された色彩分離器と、
対応する有色映像光を形成するために対応する有色投影光と変調するための前記有色投影光のそれぞれと各々が対応する複数のディスプレイ装置と、
各々が前記複数のディスプレイ装置の１つと対応し、前記投影レンズ・グループの前記光学軸に関して非共軸であり、前記投影レンズ・グループの前記光学軸に平行する光学経路に沿った、対応する有色の映像光を向けるために配置される複数の対物レンズ・グループと、
前記映像光を形成するための有色映像光と結合するためのカラーコンバイナーと、
からなることを特徴とする請求項１１記載の投影システム。
【請求項１３】
前記複数のディスプレイ装置の一つとそれぞれが対応するとともに、前記ディスプレイ装置と前記色彩分離器の間に配置される複数の偏光器と、前記複数のディスプレイ装置の一つとそれぞれ対応するとともに、前記ディスプレイ装置と前記カラー結合手段の間に配置される複数の検光子とを更に含むことを特徴とする請求項１２記載の投影システム。
【請求項１４】
反射型ディスプレイ装置を供給し、光軸を有する投影レンズ・グループを供給し、非ゼロ入射角度で前記ディスプレイ装置に投影光を向ける段階と、反射された映像光を形成するための前記ディスプレイ装置で前記投影光を変調し、対物レンズ・グループが配置されることによって、光学経路に沿って前記反射された映像光を前記投影レンズ・グループの前記光軸に平行な方向にむける段階からなるとともに前記対物レンズ・グループが前記投影レンズ・グループの前記光軸に対して非共軸である軸を有することを特徴とするディスプレイ像を投影する方法。
【請求項１５】
光学経路に沿う前記反射された映像光を前記投影レンズ・グループの前記光軸に平行な方向に向ける前記段階が、光軸に沿う反射された前記映像光を前記投影レンズ・グループの前記光軸に一致する方向に向ける段階からなることを特徴とする請求項１４記載の方法。
【請求項１６】
反射型ディスプレイ装置を供給する前記段階が、前記投影レンズ・グループの前記光軸上に前記反射型ディスプレイ装置を配置することからなる特徴とする請求項１４記載の方法。
【請求項１７】
前記映像光を方向付ける前記段階が、前記映像光の前記光軸にプリズムを配置する段階からなることを特徴とする請求項１４記載の方法。
【請求項１８】
前記映像光を方向付ける前記段階が、対物レンズ・グループを前記映像光の前記光学経路に配設する段階からなり、前記対物レンズ・グループは前記投影レンズ・グループの前記光軸に対して非共軸の光軸を有することを特徴とする請求項１４記載の方法。
【請求項１９】
前記ディスプレイ装置で前記光線を変調する前記段階が、前記投影レンズ・グループの前記光軸に対して前記ディスプレイ装置を傾けることによって、前記ディスプレイ装置の表面を前記投影レンズ・グループの焦点面に配列させる段階からなることを特徴とする請求項１４記載の方法。
【請求項２０】
前記投影光を偏光させる段階と前記偏光器から分離した検光子で前記映像光を分光する段階とを更に含むことを特徴とする請求項１４記載の方法。
【請求項２１】
投影光を複数の有色投影光に分光する段階と前記複数の有色投影光のそれぞれが、複数の色付けされた映像光を形成するための複数の反射型ディスプレイ装置に連なる装置によって、変調される段階と、光学経路に沿う前記有色映像光が前記投影レンズ・グループの前記光軸に対して非共軸の光軸を有している複数の前記対物レンズ・グループのうち一つに接続した前記投影レンズ・グループの前記光学経路に平行に方向を変えられる段階と前記映像光を形成するための複数の有色映像光を再結合する段階を更に含むことを特徴とする請求項１４記載の方法。
【請求項２２】
対応する複数の偏光器の１つにより前記有色投影光のそれぞれが偏光される段階と、対応する複数の検光子の１つにより、前記有色投影光のそれぞれが分光される段階を更に有し、前記関連する検光子は前記関連する偏光器から分離していることを特徴とする請求項２１記載の方法。
【請求項２３】
投影光を発光する光源と、反射される映像光を形成するために前記投影光を変調するために、非ゼロ入射角度で前記投影光を受けるように配置されたディスプレイ装置と、光軸を有する投影レンズ・グループと、前記映像光が前記投影レンズ・グループの前記光軸に平行な光学経路を進むように前記映像光を屈折させるために、前記投影光の中ではなく前記映像光の中に配設されたプリズムとからなることを特徴とする投影システム。
【国際調査報告】
2004519001.tif 000047
2004519001.tif 000048